(57)【要約】【課題】操作性を向上させることができる可視光通信可能な画像形成装置を提供する。【解決手段】装置の内部を開放する開閉扉と、装置に配置され、開閉扉が開放された状態で発光する発光部と、発光部を用いた可視光通信により、装置の情報を送信する可視光送信部と、可視光送信部の動作を制御する送信制御部と、を備え、装置は、本体と、本体に直接接続されるユニットと、本体に直接接続されないユニットと、を含み、装置の情報は、ジャム処理手順情報、交換部品情報、交換部品の交換手順情報、清掃手順情報、の少なくとも一つを含む。【選択図】図４
2018111222.tif 000002
【特許請求の範囲】
【請求項１】
装置の内部を開放する開閉扉と、
前記装置に配置され、前記開閉扉が開放された状態で発光する発光部と、
前記発光部を用いた可視光通信により、前記装置の情報を送信する可視光送信部と、
前記可視光送信部の動作を制御する送信制御部と、を備えた、
ことを特徴とする画像形成装置。
【請求項２】
前記装置は、本体と、前記本体に直接接続されるユニットと、前記本体に直接接続されないユニットと、を含み、
前記装置の情報は、ジャム処理手順情報、交換部品情報、交換部品の交換手順情報、清掃手順情報、の少なくとも一つを含む、
ことを特徴とする請求項１に記載の画像形成装置。
【請求項３】
前記送信制御部は、前記装置の状態変化があった場合に、送信する前記装置の情報を変更する、
ことを特徴とする請求項１に記載の画像形成装置。
【請求項４】
前記送信制御部は、動画情報を送信する、
ことを特徴とする請求項１に記載の画像形成装置。
【請求項５】
前記送信制御部は、前記装置の部品の寿命情報を送信する、
ことを特徴とする請求項１に記載の画像形成装置。
【発明の詳細な説明】
【技術分野】
【０００１】
本発明は、画像形成装置に関する。
【背景技術】
【０００２】
画像を処理する画像処理装置と、画像処理装置と近距離通信が可能な携帯端末装置とを含む画像処理システムであって、画像処理装置は、画像処理を行う画像処理部と、画像処理部により処理を行うための操作に関連する案内情報を送信する操作情報送信部とを備え、携帯端末装置は、操作情報送信部により送信された案内情報を受信する操作情報受信部と、音声および画像のうちの少なくともいずれか一方により情報を報知する報知部と、操作情報受信部により受信した案内情報を報知部により報知するよう制御する制御部と、を備える画像処理システムが知られている（特許文献１）。
【０００３】
搬送路における用紙を検知する検知センサと、撮像機能を有する携帯端末装置と通信を行う通信手段と、搬送路におけるジャム発生時に、検知センサによって検知される用紙の位置に基づき搬送路におけるジャムの発生箇所を予測し、当該予測箇所を撮影するための撮影案内を携帯端末装置に対して行う撮影案内手段と、撮影案内に基づき携帯端末装置によって撮影される撮影画像を取得して画像解析を行うことによりジャム状態を判別する画像解析手段と、画像解析手段における判別結果に基づき、ジャムの解除操作を案内するための案内画像を生成し、携帯端末装置において表示される撮影画像に重ね合わせて表示させることにより、ジャム状態に応じた解除操作を案内する解除操作案内手段と、を備える画像形成装置も知られている（特許文献２）
【先行技術文献】
【特許文献】
【０００４】
【特許文献１】特開２０１６−１３９８８７号公報
【特許文献２】特開２０１３−２０５４２５号公報
【発明の概要】
【発明が解決しようとする課題】
【０００５】
本発明は、操作性を向上させることができる可視光通信可能な画像形成装置を提供することを目的とする。
【課題を解決するための手段】
【０００６】
前記課題を解決するために、請求項１に記載の画像形成装置は、
装置の内部を開放する開閉扉と、
前記装置に配置され、前記開閉扉が開放された状態で発光する発光部と、
前記発光部を用いた可視光通信により、前記装置の情報を送信する可視光送信部と、
前記可視光送信部の動作を制御する送信制御部と、を備えた、
ことを特徴とする。
【０００７】
請求項２記載の発明は、請求項１に記載の画像形成装置において、
前記装置は、本体と、前記本体に直接接続されるユニットと、前記本体に直接接続されないユニットと、を含み、
前記装置の情報は、ジャム処理手順情報、交換部品情報、交換部品の交換手順情報、清掃手順情報、の少なくとも一つを含む、
ことを特徴とする。
【０００８】
請求項３記載の発明は、請求項１に記載の画像形成装置において、
前記送信制御部は、前記装置の状態変化があった場合に、送信する前記装置の情報を変更する、
ことを特徴とする。
【０００９】
請求項４記載の発明は、請求項１に記載の画像形成装置において、
前記送信制御部は、動画情報を送信する、
ことを特徴とする。
【００１０】
請求項５記載の発明は、請求項１に記載の画像形成装置において、
前記送信制御部は、前記装置の部品の寿命情報を送信する、
ことを特徴とする。
【発明の効果】
【００１１】
請求項１に記載の発明によれば、操作性を向上させることができる可視光通信可能な画像形成装置を提供することができる。
【００１２】
請求項２に記載の発明によれば、使用者に画像形成装置における処理操作に関する案内情報を提供することができる。
【００１３】
請求項３に記載の発明によれば、使用者に画像形成装置における使用者による処理操作に応じて処理操作に関する案内情報を順次提供することができる。
【００１４】
請求項４に記載の発明によれば、使用者に画像形成装置における処理操作に関する案内情報を視覚的に、より判りやすく提供することができる。
【００１５】
請求項５に記載の発明によれば、使用者に画像形成装置における部品の寿命情報を予め提供することができる。
【図面の簡単な説明】
【００１６】
【図１】本実施形態に係る画像形成装置の概略構成の一例を示す外観正面図である。
【図２】画像形成装置の内部構成の一例を示す断面模式図である。
【図３】画像形成装置の機能構成を示すブロック図である。
【図４】画像形成装置において行われる可視光通信を説明するためのブロック図である。
【図５】画像形成装置における可視光通信の動作の一例を示すフローチャートである。
【図６】変形例１に係る画像形成装置における可視光通信の動作の一例を示すフローチャートである。
【図７】変形例２に係る画像形成装置において行われる可視光通信を説明するためのブロック図である。
【図８】処理操作情報が表示された外部機器における表示態様の一例を示す画像図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
（１）画像形成装置の全体構成及び動作
図１は本実施形態に係る画像形成装置１の概略構成の一例を示す外観正面図、図２は画像形成装置１の内部構成の一例を示す断面模式図である。
以下、図面を参照しながら、画像形成装置１の全体構成及び動作を説明する。
【００１９】
（１．１）画像形成装置の全体構成
画像形成装置１は、本体としての画像形成部１０と、画像形成部１０の一端に直接接続された用紙送り装置２０と、画像形成部１０の他の一端に直接接続され、印刷された用紙が排紙される排紙装置３０と、操作表示部４０と、上位機器から送信された印刷情報から画像情報を生成する画像処理部５０と、排紙装置３０に接続された後処理装置６０と、を備えて構成されている。
【００２０】
画像形成部１０は、システム制御装置１１（図３参照）、露光装置１２、感光体ユニット１３、現像装置１４、転写装置１５、用紙搬送装置１６ａ、１６ｂ、１６ｃ、定着装置１７、を備えて構成され、画像処理部５０から受け取った画像情報を用紙送り装置２０から送り込まれた用紙Ｐ上にトナー画像として形成する。
【００２１】
画像形成部１０は、その内部を露出するための開閉扉１８を備えている。開閉扉１８は、画像形成部１０で用紙詰り（ジャム）が発生した場合に、使用者により開放される。また、感光体ユニット１３、現像装置１４の交換、転写装置１５、定着装置１７の保守や清掃を行う際にも開放される。
また、画像形成部１０は、開閉扉１８の開放に連動して可視光を発光する発光部としての発光装置１０Ａを備えている。
【００２２】
用紙送り装置２０は、画像形成部１０に対する用紙供給を行う。すなわち、種類（例えば、材質や厚さ、用紙サイズ、紙目）の異なる用紙Ｐを収容する複数の用紙積載部を備えており、これら複数の用紙積載部のいずれか一つから繰り出した用紙Ｐを画像形成部１０に対して供給するように構成されている。
【００２３】
用紙送り装置２０は、その内部を露出するための開閉扉２８を備え、開閉扉２８の開放に連動して可視光を発光する発光部としての発光装置２０Ａを備えている。
【００２４】
排紙装置３０は、画像形成部１０にて画像出力が行われた用紙Ｐの排出を行う。そのために、排紙装置３０は、画像出力後の用紙Ｐが排出される排紙収容部を備えている。また、排紙装置３０には、画像形成部１０から出力される用紙束に対して、裁断やステープル（針綴じ）等の後処理を行う機能を有した後処理装置６０が接続されている。
【００２５】
排紙装置３０は、その内部を露出するための開閉扉３８を備え、開閉扉３８の開放に連動して可視光を発光する発光部としての発光装置３０Ａを備えている。また、後処理装置６０も、その内部を露出するための開閉扉６８を備え、開閉扉６８の開放に連動して可視光を発光する発光部としての発光装置６０Ａを備えている。
【００２６】
操作表示部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２７】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された用紙Ｐが画像形成部１０へ送り込まれる。
【００２８】
感光体ユニット１３は、露光装置１２の下方に、それぞれが並列して設けられ、回転駆動する感光体ドラム３１を備えている。感光体ドラム３１の回転方向にそって、帯電器３２、露光装置１２、現像装置１４、一次転写ローラ５２、クリーニングブレード３４が配置されている。
【００２９】
現像装置１４は、感光体ドラム３１に対向して配置された現像ローラ４２が配設され、それぞれの現像装置１４は、現像剤を除いて略同様に構成され、それぞれの現像ローラ４２で感光体ドラム上にイエロー（Ｙ）、マゼンタ（Ｍ）、シアン（Ｃ）、黒（Ｋ）のトナー像を形成する。
【００３０】
現像装置１４の上方には、現像剤を収容する交換可能なトナーカートリッジＴと、それぞれのトナーカートリッジＴから現像装置１４に現像剤Ｇを供給する現像剤供給装置４３が配置されている。
【００３１】
回転する感光体ドラム３１の表面は、帯電器３２により帯電され、露光装置１２から出射する潜像形成光により静電潜像が形成される。感光体ドラム３１上に形成された静電潜像は現像ローラ４２によりトナー像として現像される。
【００３２】
転写装置１５は、各感光体ユニット１３の感光体ドラム３１にて形成された各色トナー像が多重転写される無端部材としての中間転写ベルト５１、各感光体ユニット１３にて形成された各色トナー像を中間転写ベルト５１に順次転写（一次転写）する一次転写ローラ５２、中間転写ベルト５１上に重畳して転写された各色トナー像を記録媒体である用紙に一括転写（二次転写）する二次転写ベルト５３とから構成されている。
【００３３】
各感光体ユニット１３の感光体ドラム３１に形成された各色トナー像は、システム制御装置１１により制御される電源装置等（不図示）から所定の転写電圧が印加された一次転写ローラ５２により中間転写ベルト５１上に順次静電転写（一次転写）され、各色トナーが重畳された重畳トナー像が形成される。
【００３４】
中間転写ベルト５１上の重畳トナー像は、中間転写ベルト５１の移動に伴って二次転写ベルト５３が配置された二次転写部ＴＲに搬送される。重畳トナー像が二次転写部ＴＲに搬送されると、そのタイミングに合わせて用紙送り装置２０から用紙Ｐが二次転写部ＴＲに供給される。そして、二次転写ベルト５３を介して二次転写ローラ５４と対向するバックアップローラ６５には、システム制御装置１１により制御される電源装置等から所定の転写電圧が印加され、用紙Ｐに中間転写ベルト５１上の多重トナー像が一括転写される。
【００３５】
感光体ドラム３１表面の残留トナーは、クリーニングブレード３４により除去され、廃トナー収容部（不図示）に回収される。感光体ドラム３１の表面は、帯電器３２により再帯電される。
【００３６】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００３７】
定着の終了した用紙Ｐは、用紙搬送装置１６ｂを経由して排紙装置３０に送り込まれる。
尚、用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙装置３０に送り込まれることになる。
【００３８】
排紙装置３０へ送り込まれた用紙Ｐは、冷却装置３６で冷却された後、画像読取装置３７で画質調整のためのテスト画像を読み取る。テスト画像の読取が行われた用紙は、後処理装置６０で必要に応じて裁断やステープル（針綴じ）等の後処理を経た後に、排紙収容部へ排出される。
【００３９】
（２）可視光通信
図３は画像形成装置１の機能構成を示すブロック図、図４は画像形成装置１において行われる可視光通信を説明するためのブロック図、図５は画像形成装置１における可視光通信の動作の一例を示すフローチャートである。
以下図面を参照しながら、画像形成装置１における可視光通信について説明する。
【００４０】
（２．１）可視光通信の機能構成
本体としての画像形成部１０は、図３に示すように、露光装置１２．感光体ユニット１３、現像装置１４、転写装置１５、用紙搬送装置１６、定着装置１７の動作を制御するシステム制御装置１１を備えている。
画像形成部１０は、上記各装置のほか、送信制御部１０１を有し、送信制御部１０１は、開閉扉１８の開放操作に連動して、現在の画像形成装置１のステータス情報を取得する。そして、取得したステータス情報に関連する処理操作情報を、可視光送信部１０２が制御する発光装置１０Ａを発光させて可視光通信により外部機器に送信する。
【００４１】
また、送信制御部１０１は、図４に示すように、画像形成部１０に直接接続された用紙送り装置２０、排紙装置３０、排紙装置３０に接続された後処理装置６０のステータス情報を取得して、取得したそれぞれのステータス情報に関連する処理操作情報を、それぞれの可視光送信部２０１、３０１、６０１が制御する発光装置２０Ａ、３０Ａ、６０Ａを発光させて可視光通信により外部機器に送信する。
【００４２】
発光装置１０Ａ、２０Ａ、３０Ａ、６０Ａは、例えばＬＥＤ（発光ダイオード）とその駆動回路（不図示）で構成され、それぞれの可視光送信部１０２、２０１、３０１、６０１に制御されて高速で点灯、消灯を繰り返すことで可視光を出射するように構成されている。送信制御部１０１がそれぞれのステータス情報に関連して取得した処理操作情報は、一例として、ＸＭＬ（拡張可能なマーク付け言語）形式の文書として発光装置１０Ａ、２０Ａ、３０Ａ、６０Ａから出射する可視光に重畳して送信される。
【００４３】
ここで、外部機器としては、可視光を受光可能なカメラと表示装置を備えた携帯端末（例えばスマートフォン）が挙げられる。携帯端末ＳＰは、所定のアプリ（アプリケーションソフトウェア）を動作させると、カメラを用いた可視光通信により、画像形成装置１から画像形成装置１の現在のステータス情報に関連した処理操作情報が取得される。取得された情報は、携帯端末ＳＰの表示装置にテキスト情報、イラスト情報、動画情報として表示される。
【００４４】
（２．２）処理操作情報
送信制御部１０１が取得する画像形成装置１のステータス情報としては、動作状態（例えば、待機中であるか、ジョブ実行中であるか、エラーで停止中であるか等）に関する情報、用紙送り装置２０のそれぞれのトレイに収められている用紙のサイズ及び量に関する情報、画像形成装置１が現在有しているジョブに関する情報、及びトナーや感光体ドラム等の消耗品情報、内部部品の使用履歴情報等が含まれる。
【００４５】
ステータス情報のうち、エラーで停止中である旨の動作情報について、用紙詰り（用紙ジャム）である場合には、用紙詰りに関連して、使用者によるその処理操作手順が処理操作情報として、画像形成装置１の記憶装置ＨＤＤに格納されている。
【００４６】
具体的には、画像形成部１０、用紙送り装置２０、排紙装置３０、後処理装置６０の構成に応じて、ジャム位置情報、操作手順テキスト情報、処理操作のイラスト情報が処理操作情報として、記憶装置ＨＤＤに取り出し可能に格納されている。また、処理操作情報の他、内部部品の使用履歴情報に関連して、用紙送り、用紙搬送に係る部品交換情報とその交換手順情報、清掃手順情報も格納されている。
【００４７】
（２．３）処理操作情報の表示
画像形成装置１は、特定のステータス状態、例えば、用紙ジャムが発生して停止中である場合に、使用者により装置の開閉扉１８が開放状態にされると（Ｓ１０１：Ｙｅｓ）、送信制御部１０１に発光開始依頼を通知する（Ｓ１０２）。開閉扉１８の開閉は、インターロックスイッチＩＬ(不図示)のオープンによって判断される。
そして、発光開始依頼を受けた送信制御部１０１は、画像形成装置１の現在のステータス情報を取得する（Ｓ１０３）。
【００４８】
ステータス情報を取得した送信制御部１０１は、取得したステータス情報に関連する処理操作情報を取得する（Ｓ１０４）。処理操作情報としては、用紙ジャムで停止している場合には、処理操作情報として、発生した用紙ジャムの位置情報、ジャム用紙へのアクセスのための装置の開閉手順を示すテキスト情報、装置の開閉操作を示す装置のイラスト情報が含まれる。
【００４９】
送信制御部１０１は、発光装置１０Ａを発光させて取得した処理操作情報を含む可視光通信情報を送信する（Ｓ１０５）。
【００５０】
このように発光動作が行なわれるとともに、携帯端末ＳＰでは、アプリを起動して（Ｓ１０６）カメラを用いた受光が開始される（Ｓ１０７）。そして、携帯端末ＳＰの表示部には取得した処理操作情報が表示される。
【００５１】
図８には、外部機器に表示された処理操作情報の一例を示す。図８（ａ）、（ｂ）、（ｃ）に示すように、用紙ジャム処理の手順が順次イラストとともに表示され、使用者は手元の携帯端末ＳＰに表示された操作手順とイラストを参照しながら、用紙ジャムの回復処理操作を的確にかつ容易に行なうことができる。
【００５２】
尚、画像形成部１０に直接接続された用紙送り装置２０、排紙装置３０、後処理装置６０のいずれかで用紙ジャムが発生して画像形成装置１が停止中の場合には、画像形成部１０と同様に、使用者がそれぞれの開閉扉２８、３８、６８を開放することで、それぞれの発光装置２０Ａ、３０Ａ、６０Ａから処理操作情報を含む可視光が出射される。
【００５３】
そして、使用者は携帯端末ＳＰのアプリを起動させて、それぞれの発光装置２０Ａ、３０Ａ、６０Ａから出射される可視光を受光して、処理操作情報を取得する。取得した処理操作情報は、携帯端末ＳＰの表示部に表示される。
【００５４】
尚、ステータス情報に内部部品の使用履歴情報が含まれる場合、可視光通信情報に部品交換情報とその交換手順情報、清掃手順情報を含めることもでき、画像形成装置１における部品の寿命情報とその交換手順、予防措置としての清掃手順を使用者に予め提供することができる。
【００５５】
「変形例１」
図６は変形例１に係る画像形成装置１Ａにおける可視光通信の動作の一例を示すフローチャートである。
画像形成装置１Ａは、開閉扉１８の開放操作に連動して、現在の画像形成装置１のステータス情報に関連する処理操作情報を、発光装置１０Ａを発光させて可視光通信により外部機器に送信し、ステータス情報に変化があった場合には、送信する処理操作情報を変更する。
【００５６】
画像形成装置１Ａは、使用者により開閉扉１８が開放状態にされると（Ｓ２０１：Ｙｅｓ）、送信制御部１０１に発光開始依頼を通知する（Ｓ２０２）。
そして、発光開始依頼を受けた送信制御部１０１は、画像形成装置１の現在のステータス情報を取得する（Ｓ２０３）。
【００５７】
ステータス情報を取得した送信制御部１０１は、取得したステータス情報に関連する処理操作情報を取得する（Ｓ２０４）。処理操作情報としては、用紙ジャムで停止している場合には、処理操作情報として、発生した用紙ジャムの位置情報、ジャム用紙へのアクセスのための装置の開閉手順を示すテキスト情報、装置の開閉操作を示す装置のイラスト情報が含まれる。
【００５８】
送信制御部１０１は、発光装置１０Ａを発光させて取得した処理操作情報を含む可視光通信情報を送信する（Ｓ２０５）。
【００５９】
その後、送信制御部１０１は、画像形成装置１の現在のステータス情報を再度取得し（Ｓ２０６）、取得したステータス情報が先に取得したステータス情報から変化しているか否か判断される（Ｓ２０７）。
【００６０】
ステータス情報の変化としては、先に可視光通信により送信した処理操作情報に従って、使用者が処理操作を行なった結果、処理操作が実施された用紙ジャムとは異なる位置で用紙ジャムが発生している場合や、処理操作が実施された画像形成部１０とは異なる他の装置（例えば、用紙送り装置２０、排紙装置３０、後処理装置６０）で用紙ジャムが発生している場合が挙げられる。
【００６１】
判断の結果、取得したステータス情報に変化があった場合（Ｓ２０７：Ｙｅｓ）には、現在のステータス情報に関連した新たな処理操作情報を取得する（Ｓ２０８）。そして、送信制御部１０１は、発光装置１０Ａを発光させて取得した新たな処理操作情報を含む可視光通信情報を送信する（Ｓ２０９）。
【００６２】
このように発光動作が行なわれるとともに、携帯端末ＳＰでは、カメラを用いた受光が開始され（Ｓ２１３）、携帯端末ＳＰの表示部には取得した新たな処理操作情報が表示される（Ｓ２１４）。
【００６３】
「変形例２」
図７は変形例２に係る画像形成装置１Ｂにおいて行われる可視光通信を説明するためのブロック図である。
画像形成装置１Ｂは、通信回線で接続された外部サーバである処理操作情報サーバ７０から画像形成装置１Ｂの現在のステータス情報に関連する処理操作の動画情報を取得して、発光装置１０Ａを発光させて可視光通信により外部機器に送信する。
動画情報は、ジャム処理手順、部品交換手順、清掃手順を画像形成装置１Ｂの内部構成に応じて作成・編集されたもので、それぞれの手順を案内する音声情報が含まれてもよい。
【００６４】
画像形成装置１Ｂによる発光動作が行なわれるとともに、携帯端末ＳＰでは、アプリを起動してカメラを用いた受光が開始される。そして、携帯端末ＳＰの表示部には取得した処理操作情報が処理操作の手順として動画で表示され、使用者は動画を参照しながら処理操作を行うことで、より容易にかつ的確に処理を完了させることができる。
【００６５】
本実施形態においては、画像形成部１０に直接接続される用紙送り装置２０、排紙装置３０、排紙装置３０に接続される後処理装置６０を備えた画像形成装置において、それぞれの装置が発光装置１０Ａ、２０Ａ、３０Ａ、６０Ａを備えた構成を例に説明したが、発光部は本体としての画像形成部１０のみが有して、それぞれの装置の開閉扉２８、３８、６８の開放に連動して、画像形成部１０が有する発光装置１０Ａが発光してもよい。
【符号の説明】
【００６６】
１、１Ａ、１Ｂ・・・画像形成装置
１０・・・画像形成部
１０Ａ・・・発光装置
１８・・・開閉扉
２０・・・用紙送り装置
２０Ａ・・・発光装置
２８・・・開閉扉
３０・・・排紙装置
３０Ａ・・・発光装置
３８・・・開閉扉
４０・・・操作表示部
５０・・・画像処理部
６０・・・後処理装置
６０Ａ・・・発光装置
６８・・・開閉扉
７０・・・処理操作情報サーバ  
ＳＰ・・・外部機器
【図１】
2018111222.tif 000003
【図２】
2018111222.tif 000004
【図３】
2018111222.tif 000005
【図４】
2018111222.tif 000006
【図５】
2018111222.tif 000007
【図６】
2018111222.tif 000008
【図７】
2018111222.tif 000009
【図８】
2018111222.tif 000010